(57)【特許請求の範囲】
【請求項１】
ズーム撮影レンズ、ズームファインダ、及びズームストロボを備え、これらが単一の駆動モータで駆動されるズームコンパクトカメラにおいて、
ズーム撮影レンズの駆動系のギヤ列と、
ズームファインダの駆動系のギヤ列と、
ズームストロボの駆動系のギヤ列とをそれぞれ設け、
ズーム撮影レンズの駆動系のギヤ列の最終段には、該ズーム撮影レンズの駆動筒に一体のレンズ駆動ギヤを設け、
ズームファインダの駆動系のギヤ列の最終段には、該ズームファインダの可動変倍レンズ群を光軸方向に移動させるファインダ用円筒カムを設け、
ズームストロボの駆動系のギヤ列の最終段には、該ズームストロボの照射角変更部材を光軸方向に移動させるストロボ用円筒カムを設け、
上記ファインダ用円筒カムおよび上記ストロボ用円筒カムには、上記駆動モータから独立して駆動力を伝達することを特徴とするズームコンパクトカメラ。
【請求項２】
請求項１記載のズームコンパクトカメラにおいて、駆動モータによって直接駆動される第一の二段伝達ギヤが備えられ、この第一の二段伝達ギヤの一方のギヤに上記ズーム撮影レンズの駆動系のギヤ列が噛み合い、他方のギヤに上記ズームファインダの駆動系のギヤ列とズームストロボの駆動系のギヤ列とに共通の第二の二段伝達ギヤの一方のギヤが噛み合っているズームコンパクトカメラ。
【請求項３】
請求項２記載のズームコンパクトカメラにおいて、上記第二の二段伝達ギヤの他方のギヤに、第三の二段伝達ギヤの一方のギヤが噛み合い、この第三の二段伝達ギヤの他方のギヤに、ズームファインダの駆動系のギヤ列の最終段と、ズームストロボの駆動系のギヤ列の最終段とが独立して噛み合っているズームコンパクトカメラ。
【発明の詳細な説明】
【０００１】
【技術分野】
本発明は、ズーム撮影レンズ、ズームファインダ、及びズームストロボを備えたズームコンパクトカメラに関する。
【０００２】
【従来の技術及びその問題点】
この種のズームコンパクトカメラでは、ズーム撮影レンズのズーミング動作に連動させて、ファインダ視野とストロボ照射角とを同時に変化させる。その駆動は、単独のモータによって行なわれているが、従来、ズームファインダとズームストロボは、駆動モータによって駆動される単一のカム部材に、ズームファインダの可動変倍レンズの移動用カムと、ズームストロボの照射角変更部材の移動用カムとをそれぞれ設けていた。このため、例えばストロボ側で駆動振動が生じると、その振動がカム部材を介してファインダ側に直接伝達されてしまい、ファインダ像がぶれてしまうことがあった。
【０００３】
【発明の目的】
本発明は、このような振動の伝播が生じにくいズームコンパクトカメラを得ることを目的とする。
【０００４】
【発明の概要】
本発明は、ズーム撮影レンズ、ズームファインダ、及びズームストロボを備え、これらが単一の駆動モータで駆動されるズームコンパクトカメラにおいて、ズーム撮影レンズの駆動系のギヤ列と、ズームファインダの駆動系のギヤ列と、ズームストロボの駆動系のギヤ列とをそれぞれ設け、ズーム撮影レンズの駆動系のギヤ列の最終段には、該ズーム撮影レンズの駆動筒に一体のレンズ駆動ギヤを設け、ズームファインダの駆動系のギヤ列の最終段には、該ズームファインダの可動変倍レンズ群を光軸方向に移動させるファインダ用円筒カムを設け、ズームストロボの駆動系のギヤ列の最終段には、該ズームストロボの照射角変更部材を光軸方向に移動させるストロボ用円筒カムを設け、上記ファインダ用円筒カムおよび上記ストロボ用円筒カムには、上記駆動モータから独立して駆動力を伝達することを特徴としている。
【０００５】
より具体的には、駆動モータによって直接駆動される第一の二段伝達ギヤを設け、この第一の二段伝達ギヤの一方のギヤに上記ズーム撮影レンズの駆動系のギヤ列を噛み合わせ、他方のギヤに上記ズームファインダの駆動系のギヤ列とズームストロボの駆動系のギヤ列とに共通の第二の二段伝達ギヤの一方のギヤを噛み合わせることができる。さらに、この第二の二段伝達ギヤの他方のギヤに、第三の二段伝達ギヤの一方のギヤが噛み合わせ、この第三の二段伝達ギヤの他方のギヤに、ズームファインダの駆動系のギヤ列の最終段とズームストロボの駆動系のギヤ列の最終段とを独立して噛み合わせることにより、ギヤ比の設定が容易なズームコンパクトカメラを得ることができる。
【０００６】
【発明の実施の形態】
ズームコンパクトカメラＣは、図１、図２に示すように、ズーム撮影レンズ１０、ズームファインダ２０及びズームストロボ３０を有する。ズーム撮影レンズ１０は、図示しない複数の可動変倍レンズ群を有し、駆動筒１１を回転駆動することにより、これらの可動変倍レンズ群が移動してズーミングがなされる。駆動筒１１の外周には、レンズ駆動ギヤ１２が一体に設けられている。
【０００７】
ズームファインダ２０は、物体側から順に、固定レンズ２１、可動変倍レンズ２２、２３、固定レンズ２４、ダハミラー２５、眼側の面が平面のレンズ２６、ペンタプリズム２７及び接眼レンズ２８を有し、ダハミラー２５及びペンタプリズム２７により正立光学系を構成している。対物光学系を構成する固定レンズ２１ないし可動変倍レンズ２３によってレンズ２６の眼側の平面上に結像する実像は、ダハミラー２５で上下を反転され、ペンタプリズム２７で左右を反転され、接眼レンズ２８を介して観察される。可動変倍レンズ２２、２３はそれぞれ光軸方向に直進案内されており、ファインダ光軸と直交する方向に突出する駆動ピン２２ａ、２３ａを備えている。この駆動ピン２２ａ、２３ａは、ファインダ用円筒カム２９に形成したカム面２９ａ、２９ｂに係合し、ファインダ用円筒カム２９が回転駆動されると、そのカムプロフィルに従って可動変倍レンズ２２、２３が光軸方向に移動し、ファインダ視野が変化する。
【０００８】
ズームストロボ３０は、固定レンズ３１と、光軸方向に可動の照射角変更部材３２とを有する。照射角変更部材３２は、発光管３３と反射傘を有するもので、ストロボの光軸と直交する方向に突出する駆動ピン３２ａを備えている。この駆動ピン３２ａは、ストロボ用円筒カム３４に形成したカム面３４ａに係合し、ストロボ用円筒カム３４が回転駆動されると、そのカムプロフィルに従って照射角変更部材３２が光軸方向に移動し、ストロボ照射角が変化する。
【０００９】
以上のズーム撮影レンズ１０、ズームファインダ２０、ズームストロボ３０は、単一の駆動モータ４０によって駆動される。駆動モータ４０の出力軸にはピニオン４１が一体に設けられ、このピニオン４１に、第一の二段伝達ギヤ４２の大ギヤ４２ａが噛み合っている。第一の二段伝達ギヤ４２の小ギヤ４２ｂは、ズーム撮影レンズ１０のレンズ駆動ギヤ１２に噛み合う伝達ギヤ１３と、第二の二段伝達ギヤ４３の大ギヤ４３ａとに同時に噛み合っている。小ギヤ４３ｂは、第三の二段伝達ギヤ４４の大ギヤ４４ａに噛み合い、大ギヤ４４ａは、ファインダ用円筒カム２９に同軸一体に設けた最終ギヤ２９ｃに噛み合っている。また第三の二段伝達ギヤ４４の小ギヤ４４ｂは、ストロボ用円筒カム３４に同軸一体に設けた最終ギヤ３４ｃに噛み合っている。なお、第一の二段伝達ギヤ４２と第二の伝達ギヤ４３との噛合状態は、図６に詳細に示した（図２では、歯車の重なりを避けるため、歯車の位置を若干ずらせて描いている）。
【００１０】
以上のギヤ列は、ピニオン４１、第一の二段伝達ギヤ４２の大ギヤ４２ａと小ギヤ４２ｂ、伝達ギヤ１３、及びレンズ駆動ギヤ１２がズーム撮影レンズ１０の駆動筒１１を駆動するギヤ列を構成する。同様に、ピニオン４１、第一の二段伝達ギヤ４２の大ギヤ４２ａと小ギヤ４２ｂ、第二の二段伝達ギヤ４３の大ギヤ４３ａと小ギヤ４３ｂ、第三の伝達ギヤ４４の大ギヤ４４ａ、及び最終ギヤ２９ｃが、ズームファインダ２０のファインダ用円筒カム２９を駆動するギヤ列を構成し、ピニオン４１、第一の二段伝達ギヤ４２の大ギヤ４２ａと小ギヤ４２ｂ、第二の二段伝達ギヤ４３の大ギヤ４３ａと小ギヤ４３ｂ、第三の伝達ギヤ４４の大ギヤ４４ａと小ギヤ４４ｂ及び最終ギヤ３４ｃがズームストロボ３０のストロボ用円筒カム３４を駆動するギヤ列を構成する。
【００１１】
第一の二段伝達ギヤ４２は、ズーム撮影レンズ１０、ズームファインダ２０及びズームストロボ３０の駆動系に共通であり、第二の二段伝達ギヤ４３は、ズームファインダ２０及びズームストロボ３０の駆動系に共通である。第三の二段伝達ギヤ４４の大ギヤ４４ａと小ギヤ４４ｂから、ズームファインダ２０とズームストロボ３０の駆動系が分岐する。
【００１２】
上記構成の本ズームレンズカメラは、ズーム撮影レンズ１０の焦点距離と、ズームファインダ２０の視野と、ズームストロボ３０のストロボ照射角が同期するように組み立てられる。駆動モータ４０を駆動すると、ピニオン４１と第一の二段伝達ギヤ４２が回転する。ここ迄は、ズーム撮影レンズ１０、ズームファインダ２０及びズームストロボ３０のすべてに共通であるが、第一の二段伝達ギヤ４２の小ギヤ４２ｂ以後は、ズーム撮影レンズ１０の駆動筒１１は伝達ギヤ１３、レンズ駆動ギヤ１２を介して回転駆動され、ズームファインダ２０とズームストロボ３０は、第二の二段伝達ギヤ４３の大ギヤ４３ａと小ギヤ４３ｂを介して駆動される。そして、小ギヤ４３ｂ以後は、ズームファインダ２０のファインダ用円筒カム２９は、小ギヤ４３ｂ、第三の二段伝達ギヤ４４の大ギヤ４４ａ、及び最終ギヤ２９ｃを介して駆動され、ズームストロボ３０のストロボ用円筒カム３４は、小ギヤ４３ｂ、第三の二段伝達ギヤ４４の大ギヤ４４ａと小ギヤ４４ｂ、最終ギヤ３４ｃを介して駆動される。この駆動伝達系においては、ストロボ用円筒カム３４に加わる振動が直接ファインダ用円筒カム２９に伝達されることがない。よって、ファインダ視野像がぶれるという可能性が減り、より見やすいファインダが得られる。また、実施例のギヤ列によれば、駆動ギヤ列が単純化されるとともに、ズーム撮影レンズ１０、ズームファインダ２０及びズームストロボ３０に必要な同期を取るためのギヤ比の設定が容易になるという利点がある。
【００１３】
【発明の効果】
本発明によれば、ズームファインダとズームストロボが、それぞれ独立した円筒カムによって駆動され、かつ、これらの円筒カムは、ズーム撮影レンズの駆動筒とも独立しているから、ズームファインダの視野像が他の要素の振動等でぶれるおそれがない。
【図面の簡単な説明】
【図１】ズーム撮影レンズ、ズームファインダ、及びズームストロボを有するコンパクトカメラの斜視図である。
【図２】図１のコンパクトカメラの駆動系の要部を示す斜視図である。
【図３】同駆動系のギヤ列の展開図である。
【図４】ズームファインダ用円筒カムの展開図である。
【図５】ズームストロボ用円筒カムの展開図である。
【図６】第一の二段伝達ギヤと第二の二段伝達ギヤの噛合状態を示す詳細図である。
【符号の説明】
１０  ズーム撮影レンズ
１１  駆動筒
１２  レンズ駆動ギヤ
１３  伝達ギヤ
２０  ズームファインダ
２２  ２３  可動変倍レンズ
２９  ファインダ用円筒カム
２９ａ  ２９ｂ  カム面
２９ｃ  最終ギヤ
３０  ズームストロボ
３１  照射角変更部材
３４  ストロボ用円筒カム
３４ａ  カム面
３４ｃ  最終ギヤ
４０  駆動モータ
４１  ピニオン
４２  第一の二段伝達ギヤ
４３  第二の二段伝達ギヤ
４４  第三の二段伝達ギヤ
【図１】
0003974247.tif 000002
【図２】
0003974247.tif 000003
【図３】
0003974247.tif 000004
【図４】
0003974247.tif 000005
【図５】
0003974247.tif 000006
【図６】
0003974247.tif 000007